(57)【要約】【課題】調節可能な靴底プレートを有するスケート靴を提供すること。【解決手段】スケート靴は、靴底プレートと、該靴底プレートに取り付けられたブーツとを有する。前記靴底プレートは、後方本体と、前方本体とを有する。前記後方本体は、ブラケットと、ブレード組立体とを有する。前記ブラケットは、ベースプレートと、少なくとも１つのキーと、複数の固定用横孔とを有する。前記キーは前記ベースプレートに形成されている。各固定用横孔は、前記キーの１つに設けられており、該キーを貫通している。前記前方本体は、前記後方本体に取り付けられており、少なくとも１つのキー溝と、横孔と、凹所と、固定装置とを有する。前記キー溝は前記キーを滑動可能に保持している。前記凹所は前記横孔と整列されている。前記固定装置は前記横孔及び前記凹所に取り付けられている。【選択図】図１
0003140863.tif 000002
【実用新案登録請求の範囲】
【請求項１】
靴底プレートと、該靴底プレートに取り付けられたブーツとを含み、
前記靴底プレートは、後方本体と、該後方本体に取り付けられた前方本体とを有し、
前記後方本体は、前方端部と、下部と、該下部に取り付けられたブラケットであって下部と、２つの側部と、前記ブラケットの前記下部に形成された、上面と下面とを有するベースプレートと、該ベースプレートの前記上面に形成された少なくとも１つのキーと、それぞれが該キーの１つに設けられ、かつ前記キーを貫通する複数の固定用横孔と、前記前方端部に近接して前記ベースプレートに設けられ、該ベースプレートを貫通する連結用孔とを有するブラケットと、該ブラケットの前記下部に取り付けられたブレード組立体とを有し、
前記前方本体は、前方端部と、後方端部と、側面と、前記前方本体の下部に設けられ、前記ベースプレートの前記キーと対応し、該キーを滑動可能に保持する少なくとも１つのキー溝と、前記前方端部に近接して前記前方本体の前記下部に設けられ、前記ベースプレートの前記連結用孔と整列された縦スロットと、該縦スロット及び前記連結用孔に取り付けられ、前記ベースプレートを前記前方本体に連結する連結具と、前記前方本体の前記側面に設けられ、前記キー溝の１つと連通する横孔と、該横孔と整列された、前記前方本体の前記下部に設けられた凹所と、該凹所及び前記横孔に取り付けられた固定装置とを有し、
前記横孔は、内方端部と、外方端部と、内面とを有し、
前記凹所は、前方側部と、後方側部と、外方側壁と、貫通孔を有する内方側壁とを有し、
前記固定装置は、前記横孔の内部にあって該横孔に滑動可能に取り付けられた押し本体と、前記前方本体の前記凹所の内部にあって該凹所に取り付けられたボルト部品とを有し、
前記押し本体は、内方端部と、外方端部と、上部と、下部と、２つの側部と、前記押し本体の前記外方端部に形成された押しボタン部分と、前記押し本体の前記下部に設けられ、前記固定装置が前記横孔に取り付けられているときに前記キー溝の１つと連通するキー溝と、前記押し本体の前記下部に形成されたリップ部分とを有し、
前記ボルト部品は、ボルト本体であって選択的に前記内方側壁の前記貫通孔を経て突出する前方端部と、後方端部と、前記前方端部と前記後方端部との間にあって前記押し本体の前記リップ部分と噛み合わされた固定用ショルダー部分とを有するボルト本体と、該ボルト本体の前記後方端部と前記外方側壁との間にあって２つの端部を有するスプリングとを有する、スケート靴。
【請求項２】
前記前方本体は、それぞれが該前方本体の前記下部に設けられ、かつ前記キー溝と連通する２つのガイドスロットであって一方が前記凹所の前記前方側部の外側に位置し、他方が前記凹所の前記後方側部の外側に位置する２つのガイドスロットを有し、
前記固定装置は前記ガイドスロットに取り付けられており、
前記押し本体は、それぞれが前記内方端部にあって前記側部に形成され、かつ前記ガイドスロットに挿入された２つのタブ部分を有する、請求項１に記載のスケート靴。
【請求項３】
前記前方本体の前記下部に２つのキー溝が設けられており、前記後方本体の前記ベースプレートの前記上面に２つのキーが形成されている、請求項２に記載のスケート靴。
【請求項４】
前記キーは、Ｌ字形を呈しており、前記ベースプレートに垂直な、端部を有する縦方向の脚部分と、該脚部分の前記端部に形成された横方向の滑り部分とを有する、請求項１に記載のスケート靴。
【請求項５】
前記ブラケットは、それぞれが該ブラケットの前記側部にあって前記ブラケットの前記下面に垂直である２つの翼部分を有し、各翼部分は、複数の貫通孔であってそれぞれが他方の翼部分の貫通孔と整列された複数の貫通孔を有し、
前記ブレード組立体は、両翼部分の間にあって前記ブラケットの前記下部に取り付けられており、ブレード装置を有し、
前記連結具は、ナットと、ねじとからなる、請求項１に記載のスケート靴。
【請求項６】
靴底プレートと、該靴底プレートに取り付けられたブーツとを含み、
前記靴底プレートは、後方本体と、該後方本体に取り付けられた前方本体とを有し、
前記後方本体は、前方端部と、後方端部と、下部と、該下部に取り付けられたブラケットであって下部と、該下部に形成された、上面と側壁とを有するベースプレートと、前記前方端部に近接して前記ベースプレートに設けられ、該ベースプレートを貫通する連結用孔と、前記後方端部に近接して前記ベースプレートの前記上面に設けられたキー溝と、該キー溝と連通する、前記ベースプレートの前記側壁に設けられた横孔と、該横孔と整列され、前記横孔と連通する、前記ベースプレートの前記上面に設けられた凹所とを有するブラケットと、該ブラケットの前記下部に取り付けられ、ブレード装置を有するブレード組立体とを有し、
前記前方本体は、前方端部と、後方端部と、下部と、前記前方本体の前記後方端部に形成され、前記後方本体の前記キー溝に滑動可能に挿入されたキーと、それぞれが該キーに設けられ、かつ前記キーを貫通する複数の固定用横孔であって該固定用横孔の１つが前記後方本体の前記凹所及び前記横孔と連通している、複数の固定用横孔と、前記前方端部に近接して前記前方本体の前記下部に設けられ、前記ベースプレートの前記連結用孔と整列された縦スロットと、該縦スロット及び前記連結用孔に取り付けられ、前記ベースプレートを前記前方本体に連結する連結具と、前記横孔及び前記凹所に取り付けられた固定装置とを有し、
該固定装置は、前記横孔の内部にあって該横孔に滑動可能に取り付けられた押し本体と、前記後方本体の前記凹所の内部にあって該凹所に取り付けられたボルト部品とを有し、
前記押し本体は、内方端部と、外方端部と、該外方端部に形成された押しボタン部分と、前記押し本体の前記内方端部に形成され、前記横孔及び前記凹所に挿入されたタブ部分とを有し、
前記ボルト部品は、前記押し本体の前記タブ部分の上方にあって前記凹所に取り付けられたボルト本体であって選択的に前記キーの前記固定用横孔の１つを経て突出する前方端部と、後方端部とを有するボルト本体と、該ボルト本体の前記後方端部と前記凹所との間にあって２つの端部を有するスプリングと、前記ボルト本体及び前記押し本体の前記タブ部分に接続された、前記ボルト本体及び前記タブ部分に垂直な取付け用ピンとを有する、スケート靴。
【請求項７】
前記連結具はねじからなり、前記連結用孔はねじ穴からなる、請求項６に記載のスケート靴。
【考案の詳細な説明】
【技術分野】
【０００１】
本考案は、調節可能な靴底プレートを有するスケート靴に関する。
【背景技術】
【０００２】
従来、スケート靴は、速さや多様性を増すためにローラー又はブレードを有する。前記スケート靴は、ブーツと、靴底プレートと、ローラー又はブレード組立体とを有する。前記靴底プレートは前記ブーツに取り付けられている。前記ローラー又は前記ブレード組立体は前記靴底プレートに取り付けられている。
【０００３】
前記スケート靴は、長さ及び幅を変えることができず、異なる人の足に合うように大きさを調節することができない。このため、子供は、足の大きさが大きくなると、新しいスケート靴を手に入れなければならず、異なる特定の長さを有する複数のスケート靴を製作することが必要である。
【０００４】
このような問題点を解決するため、調節可能な靴底プレートを有するスケート靴が提供されている。しかし、前記靴底プレートの部品は、複雑であり、使いにくい。また、前記靴底プレートは調節時に使用者の指を傷付けやすい。
【考案の開示】
【考案が解決しようとする課題】
【０００５】
本考案は、前記した問題点を改善するスケート靴を提供する。
【０００６】
本考案の目的は、調節可能な靴底プレートを有するスケート靴を提供することである。
【課題を解決するための手段】
【０００７】
本考案に係るスケート靴は、靴底プレートと、該靴底プレートに取り付けられたブーツとを有する。前記靴底プレートは、後方本体と、前方本体とを有する。前記後方本体は、ブラケットと、ブレード組立体とを有する。前記ブラケットは、ベースプレートと、少なくとも１つのキーと、複数の固定用横孔とを有する。前記キーは前記ベースプレートに形成されている。各固定用横孔は、前記キーの１つに設けられており、該キーを貫通している。前記前方本体は、前記後方本体に取り付けられており、少なくとも１つのキー溝と、横孔と、凹所と、固定装置とを有する。前記キー溝は前記キーを滑動可能に保持する。前記凹所は前記横孔と整列されている。前記固定装置は前記横孔及び前記凹所に取り付けられている。
【０００８】
本考案の他の目的、利点及び新規な特徴は、添付の図面に関する以下の詳細な説明からより明らかになる。
【考案を実施するための最良の形態】
【０００９】
図１、２に示すように、スケート靴は、靴底プレート１０と、該靴底プレートに取り付けられたブーツ２０とを有する。
【００１０】
靴底プレート１０は、後方本体３０と、前方本体４０とを有する。後方本体３０は、前方端部と、下部と、ブラケット３１と、ブレード組立体３２とを有する。ブラケット３１は、後方本体３０の前記下部に取り付けられており、下部と、２つの側部と、ベースプレート３１０と、少なくとも１つのキー３１２と、複数の固定用横孔３１３と、連結用孔３１１と、２つの翼部分３１５とを有する。
【００１１】
ベースプレート３１０は、ブラケット３１の前記下部に形成されており、上面と、下面とを有する。キー３１２はベースプレート３１０の前記上面に形成されている。図示の例では、キー３１２は、逆Ｌ字形を呈しており、縦方向の脚部分と、横方向の滑り部分とを有する。前記脚部分は、ベースプレート３１０に垂直であり、端部を有する。前記滑り部分は前記脚部分の前記端部に形成されている。図示の例では、ベースプレート３１０の前記上面に２つのキー３１２が形成されている。
【００１２】
各固定用横孔３１３は、一方のキー３１２に設けられており、該キーを貫通している。図示の例では、固定用横孔３１３はキー３１２の前記脚部分を貫通している。
【００１３】
連結用孔３１１は、後方本体３０の前記前方端部に近接してベースプレート３１０に設けられており、該ベースプレートを貫通している。各翼部分３１５は、ブラケット３１の前記側部にあってベースプレート３１０の前記下面に垂直であり、複数の貫通孔３１４を有する。一方の翼部分３１５の貫通孔３１４は他方の翼部分３１５の貫通孔３１４と整列されている。
【００１４】
ブレード組立体３２は、両翼部分３１５の間にあってブラケット３１の前記下部に取り付けられており、ブレード装置を有する。好ましくは、前記ブレード装置は複数のローラー３３又は鋭いブレードからなる。
【００１５】
前方本体４０は、後方本体３０に取り付けられており、前方端部と、後方端部と、側面と、少なくとも１つのキー溝４１と、縦スロット４２と、連結具と、横孔４３と、凹所４０２と、２つのガイドスロット４０１と、固定装置４４とを有する。
【００１６】
キー溝４１は、前方本体４０の下部に設けられており、キー溝４１の内部にキー３１２を滑動可能に保持している。図示の例では、前方本体４０の前記下部に２つのキー溝４１が設けられており、各キー溝４１は、逆Ｌ字形のキー３１２と対応し、Ｌ字形を呈している。
【００１７】
縦スロット４２は、前記前方端部に近接して前方本体４０の前記下部に設けられている。前方本体４０が後方本体３０に連結されているとき、縦スロット４２はベースプレート３１０の連結用孔３１１と整列されている。前記連結具は、ベースプレート３１０を前方本体４０に連結するために縦スロット４２及び連結用孔３１１に取り付けられている。図示の例では、前記連結具は、ナット４６と、ねじ４５とからなる。
【００１８】
横孔４３は、前方本体４０の前記側面に設けられており、一方のキー溝４１と連通している。横孔４３は、内方端部と、外方端部と、内面とを有する。
【００１９】
凹所４０２は、前方本体４０の前記下部に設けられており、横孔４３と整列されている。凹所４０２は、前方側部と、後方側部と、外方側壁４０３と、内方側壁４０４とを有する。内方側壁４０４は貫通孔４０５を有する。
【００２０】
各ガイドスロット４０１は前方本体４０の前記下部に設けられており、一方のガイドスロット４０１は凹所４０２の前記前方側部の外側に位置し、他方のガイドスロット４０１は凹所４０２の前記後方側部の外側に位置する。各ガイドスロット４０１はキー溝４１と連通している。
【００２１】
図３、４に示すように、固定装置４４は、横孔４３、ガイドスロット４０１及び凹所４０２に取り付けられており、押し本体４４１と、ボルト部品４４２とを有する。
【００２２】
押し本体４４１は、横孔４３の内部にあって該横孔に滑動可能に取り付けられており、内方端部と、外方端部と、上部と、下部と、２つの側部と、押しボタン部分４４１１と、２つのタブ部分４４１２と、キー溝４４１３と、リップ部分４４１４とを有する。押しボタン部分４４１１は押し本体４４１の前記外方端部に形成されている。各タブ部分４４１２は前記内方端部にあって押し本体４４１の前記側部に形成されている。キー溝４４１３は、押し本体４４１の前記下部に設けられており、固定装置４４が横孔４３に取り付けられているときにキー溝４１と連通している。リップ部分４４１４は押し本体４４１の前記下部に形成されている。
【００２３】
ボルト部品４４２は、前方本体４０の凹所４０２の内部にあって該凹所に取り付けられており、ボルト本体４４４と、スプリング４４３とを有する。ボルト本体４４４は、前方端部と、後方端部と、固定用ショルダー部分４４４１とを有する。固定用ショルダー部分４４４１は前記前方端部と前記後方端部との間に位置する。押し本体４４１が横孔４３に取り付けられているときにリップ部分４４１４はボルト本体４４４の固定用ショルダー部分４４４１に接しており、ボルト本体４４４の前記前方端部は、選択的に内方側壁４０４の貫通孔４０５を経て突出し、固定用横孔３１３の１つに挿入されている。ボルト本体４４４と、対応する固定用横孔３１３との噛合わせにより、前方本体４０は後方本体３０に対して所定の位置に保持されている。スプリング４４３は、ボルト本体４４４の前記後方端部と外方側壁４０３との間にあり、２つの端部を有する。
【００２４】
図４ないし６に示すように、押し本体４４１が押されたとき、固定装置４４のボルト本体４４４は、キー３１２の対応する固定用横孔３１３から離れ、かつ内方側壁４０４の貫通孔４０５の中へ引き込まれるように、押し本体４４１のリップ部分４４１４により押される。その後、後方本体３０のキー３１２は前方本体４０のキー溝４１に沿って移動させることができる。押し本体４４１が解放されたとき、ボルト本体４４４は、前方本体４０を後方本体３０に対して所定の位置に保持するため、内方側壁４０４の貫通孔４０５から伸び、後方本体３０のキー３１２の固定用横孔３１３の１つと噛み合う。このため、靴底プレート１０の長さを調節することができる。
【００２５】
図７ないし９に示す第２実施例では、スケート靴は、靴底プレート１０’と、該靴底プレートに取り付けられたブーツ２０’とを有する。
【００２６】
靴底プレート１０’は、後方本体３０’と、前方本体４０’とを有する。後方本体３０’は、前方端部と、後方端部と、下部と、ブラケット３１’と、ブレード組立体３２’とを有する。ブラケット３１’は、後方本体３０’の前記下部に取り付けられており、下部と、ベースプレート３１０’と、連結用孔３１１’と、キー溝３１２’と、横孔３１４’と、凹所３１６’とを有する。
【００２７】
ベースプレート３１０’は、ブラケット３１’の前記下部に形成されており、上面と、側壁とを有する。連結用孔３１１’は、後方本体３０’の前記前方端部に近接してベースプレート３１０’に設けられており、該ベースプレートを貫通している。キー溝３１２’は、後方本体３０’の前記後方端部に近接してベースプレート３１０’の前記上面に設けられている。横孔３１４’は、ベースプレート３１０’の前記側壁に設けられており、キー溝３１２’と連通している。凹所３１６’はベースプレート３１０’の前記上面に設けられている。凹所３１６’は、横孔３１４’と整列されており、該横孔と連通している。
【００２８】
ブレード組立体３２’は、ブラケット３１’の前記下部に取り付けられており、ブレード装置を有する。好ましくは、前記ブレード装置は複数のローラー３３’又は鋭いブレードからなる。
【００２９】
前方本体４０’は、後方本体３０’に取り付けられており、前方端部と、後方端部と、下部と、キー４１’と、複数の固定用横孔４３’と、縦スロット４２’と、連結具と、固定装置４４’とを有する。
【００３０】
キー４１’は、前方本体４０’の前記後方端部に形成されており、後方本体３０’のキー溝３１２’に滑動可能に挿入されている。各固定用横孔４３’は、キー４１’に設けられており、該キーを貫通している。固定用横孔４３’の１つは後方本体３０’の凹所３１６’及び横孔３１４’と連通している。縦スロット４２’は、前記前方端部に近接して前方本体４０’の前記下部に設けられている。前方本体４０’が後方本体３０’に連結されているとき、縦スロット４２’はベースプレート３１０’の連結用孔３１１’と整列されている。前記連結具は、ベースプレート３１０’を前方本体４０’に連結するために縦スロット４２’及び連結用孔３１１’に取り付けられている。図示の例では、前記連結具はねじ４５’からなり、連結用孔３１１’はねじ穴からなる。
【００３１】
図７ないし９に示したように、固定装置４４’は、横孔３１４’及び凹所３１６’に取り付けられており、押し本体４４１’と、ボルト部品４４２’とを有する。押し本体４４１’は、横孔３１４’の内部にあって該横孔に滑動可能に取り付けられており、内方端部と、外方端部と、押しボタン部分４４１１’と、タブ部分４４１２’とを有する。押しボタン部分４４１１’は押し本体４４１’の前記外方端部に形成されている。タブ部分４４１２’は、押し本体４４１’の前記内方端部に形成されており、横孔３１４’及び凹所３１６’に挿入されている。
【００３２】
ボルト部品４４２’は、後方本体３０’の凹所３１６’の内部にあって該凹所に取り付けられており、ボルト本体４４４’と、スプリング４４３’と、取付け用ピン４４５’とを有する。ボルト本体４４４’は、押し本体４４１’のタブ部分４４１２’の上方にあって凹所３１６’に取り付けられており、前方端部と、後方端部とを有する。押し本体４４１’が横孔３１４’の内部にあって該横孔に取り付けられているとき、ボルト本体４４４’の前記前方端部は選択的にキー４１’の固定用横孔４３’の１つを経て突出する。スプリング４４３’は、ボルト本体４４４’の前記後方端部と凹所３１６’との間にあり、２つの端部を有する。取付け用ピン４４５’は、ボルト本体４４４’及び押し本体４４１’のタブ部分４４１２’に垂直であり、ボルト本体４４４’及びタブ部分４４１２’に接続されている。
【００３３】
図９ないし１１に示すように、押し本体４４１’が押されたとき、固定装置４４’のボルト本体４４４’は、キー４１’の固定用横孔４３’から離れるように取付け用ピン４４５’により押される。その後、前方本体４０’のキー４１’は後方本体３０’のキー溝３１２’に沿って移動させることができる。押し本体４４１’が解放されたとき、ボルト本体４４４’は、靴底プレート１０’の長さが変更され、かつ調節されるように、前方本体４０’のキー４１’の固定用横孔４３’の１つの中へ伸び、該固定用横孔と噛み合う。
【００３４】
本考案に係るスケート靴は以下の利点を有する。前記スケート靴が使用されるとき、使用者は、前記スケート靴の靴底プレート１０、１０’の長さを調節するために押しボタン部分４４１１、４４１１’を押しさえすればよく、前記スケート靴の靴底プレート１０、１０’の長さを容易に調節することができる。また、靴底プレート１０、１０’の長さが押しボタン部分４４１１、４４１１’を押すことにより調節されるため、使用者は調節時に指を傷付けることがない。さらに、前記スケート靴の固定装置４４、４４’は単純であり、靴底プレート１０、１０’を容易にかつ短時間に修理することができる。
【図面の簡単な説明】
【００３５】
【図１】本考案に係るスケート靴の分解斜視図。
【図２】図１に示した靴底プレートの連結部分の拡大分解斜視図。
【図３】図４の線３における、靴底プレートが最長の長さに調節された状態のスケート靴の断面図。
【図４】図３の線４におけるスケート靴の断面図。
【図５】固定装置が押された状態の、図４に示したスケート靴の断面図。
【図６】靴底プレートが最短の長さに調節された状態の、図１に示したスケート靴の断面図
【図７】本考案の第２実施例に係るスケート靴の分解斜視図。
【図８】図９の線８における、靴底プレートが最短の長さに調節された状態のスケート靴の断面図。
【図９】図８の線９におけるスケート靴の断面図。
【図１０】固定装置が押された状態の、図９に示したスケート靴の断面図。
【図１１】靴底プレートが最長の長さに調節された状態の、図７に示したスケート靴の断面図。
【符号の説明】
【００３６】
１０、１０’    靴底プレート
２０、２０’    ブーツ
３０、３０’    後方本体
３１、３１’    ブラケット
３２、３２’    ブレード組立体
４０、４０’    前方本体
４１、３１２’、４４１３    キー溝
４２、４２’    縦スロット
４３、３１４’    横孔
４４、４４’    固定装置
４５、４５’    ねじ
４６    ナット
３１０、３１０’    ベースプレート
３１１、３１１’    連結用孔
３１２、４１’    キー
３１３、４３’    固定用横孔
３１４、４０５    貫通孔
３１５    翼部分
４０１    ガイドスロット
４０２、３１６’    凹所
４０３    外方側壁
４０４    内方側壁
４４１、４４１’    押し本体
４４２、４４２’    ボルト部品
４４３、４４３’    スプリング
４４４、４４４’    ボルト本体
４４５’    取付け用ピン
４４１１、４４１１’    押しボタン部分
４４１２、４４１２’    タブ部分
４４１４    リップ部分
４４４１    固定用ショルダー部分
【図１】
0003140863.tif 000003
【図２】
0003140863.tif 000004
【図３】
0003140863.tif 000005
【図４】
0003140863.tif 000006
【図５】
0003140863.tif 000007
【図６】
0003140863.tif 000008
【図７】
0003140863.tif 000009
【図８】
0003140863.tif 000010
【図９】
0003140863.tif 000011
【図１０】
0003140863.tif 000012
【図１１】
0003140863.tif 000013